(57)【要約】      （修正有）【課題】電気的不良或いは相互干渉の問題の発生が防止された電気コネクタの提供。【解決手段】収容空間１３を具えた絶縁シート１内に端子シート２が設けられ、且つ端子シートの表面に第１回路板３が設けられ、並びに第１回路板の上方にフレーム４が位置決めされ、フレームの表面に第２回路板５が設けられ、第１回路板と第２回路板の間に平行で固定ギャップを具えた位置決め状態が形成され、これにより異なる電気特性の回路が第１回路板と第２回路板にそれぞれレイアウトされて、有効に使用時の電気的不良及び信号伝送時の相互干渉の問題の発生が防止される。【選択図】図４
0003103961.tif 000002
【実用新案登録請求の範囲】
【請求項１】
収容空間を具えた絶縁シート内に端子シートが設けられ、絶縁シートにあって収容空間より離れた一側に接続空間が設けられた電気コネクタにおいて、
該端子シートの表面に第１回路板が設けられ、該第１回路板の上方にフレームが位置決めされ、該フレームの表面に第２回路板が設けられ、且つ第１回路板と第２回路板が固定ギャップを介して平行状態を呈すものとされたことを特徴とする、電気コネクタ。
【請求項２】
請求項１記載の電気コネクタにおいて、フレームの後側に挿入シートが垂直に設けられ、且つ挿入シートにあり溝が設けられ、端子シートの後側にドブテール形の係止部が設けられ、端子シートの係止部と挿入シートのあり溝が位置決めを形成することを特徴とする、電気コネクタ。
【考案の詳細な説明】
【技術分野】
【０００１】
本考案は一種の電気コネクタに係り、特に、端子シートにあって異なる電気特性の回路が、平行設置された第１回路板と第２回路板上にそれぞれレイアウトされて、有効に電気的不良或いは相互干渉の問題の発生が防止された電気コネクタに関する。
【背景技術】
【０００２】
現在コンピュータテクノロジーは急速に発展し、デスクトップ型コンピュータ或いはノートブック型コンピュータは既に社会の各所に普通に存在し、使用者が情報を獲得したり或いは文献データを伝送したい時、いずれもコンピュータをネットワークに接続して作業を行なうことができる。さらにネットワークで情報を送受する時、迅速で国境のない特性から、生活における個人及び会社が配備を必要とする資源の一つとなっている。ゆえに、コンピュータにはネットワークコネクタと接続使用されるコネクタを設ける必要がああり、このようなネットワーク用のコネクタのほとんどはＲＪ４５形式が主流であるが、このようなコネクタとネットワーク電話の接続コネクタの間には経常的な抜き差し動作が必要であるため、損壊したり異なる伝送状態を現出させたい時には、コネクタ前方の可視面に発光ダイオードを設置してデータ認識に供している。また、ＲＪ４５コネクタはその他の電気設備の高周波電波により干渉を受けやすく、且つ自身の信号も外部の伝送線中に発生する雑音の影響を受けやすく、このため信号の中断や微弱となり過ぎる状況が発生する。ゆえにコネクタの外表を金属シールドケースで被覆するか或いはコネクタ内部にろ波モジュールを設けることでこのような欠点を解決する必要がある。しかし、通常、ろ波モジュールの電子装置にはコンデンサを増設して瞬間異常電圧からの保護に使用する必要がある。周知の技術によると、一般に、入出力回路及びろ波モジュールとコンデンサに結合された電子装置が同一回路板にあって結合されている。図６、７の周知の技術の立体分解図及び局部部品組合せ後の立体分解図に示されるように、周知の技術によると、接続シートＢ及び挿入シートＤで組成された端子シートが絶縁シートＡ内に嵌め込まれ、端子シート中の接続シートＢ及び挿入シートＤの複数の端子Ｂ１、Ｄ１は直接回路板Ｃに半田付けされ、回路板Ｃの後側にろ波モジュールＣ１が結合され、且つ絶縁シートＡより後方に延伸された二つの支持アームＡ１が回路板Ｃ１の二側の切欠きＣ２を保持し、さらに全体の外表を電磁波干渉防止用の金属シールドケースＥが被覆し、且つ挿入座の複数の端子が下方に設置された回路板に挿入されて構成されている。しかし、一般にノートブック型コンピュータの電子部品は、ＳＭＴ技術により回路板に半田付けされるが、現在市場には発光装置、コンデンサ或いはろ波モジュールを具備しているか否かに関わらず、ＳＭＴ技術で取り付けられるＲＪ４５コネクタはない。ゆえに、本件考案者は特許文献１において、端子シートＦを絶縁ケースＡの収容空間Ａ２内に収容し、端子シートＦ後方にあって、底板Ｆ１を二つの縦向き隔板Ｆ２に接続して凹空間Ｆ３を形成し、並びに二つの隔板Ｆ２中に複数の端子Ｆ４を通し、端子Ｆ４の上端を端子シートＦ上方の水平状の回路板Ｆ５に接続し、回路板Ｆ５下方の電子装置Ｆ６が形成する突出部分を端子シートＦの凹空間Ｆ３中に収容できるようにした。しかし、このように、入出力回路及びろ波モジュールとコンデンサ等の異なる特性を具えた回路を単一回路板にあって結合させると、回路板上の回路が過度に密集し、異なる電気特性の回路が信号伝送時に相互干渉を形成する。さらに、一般にコネクタは出荷時に安全規定による耐電圧試験を行なうが、試験時にその電圧が３０００ボルトに達すると、回路ギャップが小さ過ぎてアークを発生し、アークにより回路間に短絡が形成され、コネクタが損壊して使用不能となる状況が発生する。且つノートブック型コンピュータの高さ制限は極めて厳しく、回路板の規格も制限されるため、電子装置の配置や回路のレイアウト設計空間が小さくなり、このため回路板上の利用できる有限な空間に日々増加する電子装置を有効に配置できない。ゆえに、本件考案者は、特許文献２において、異なる電気特性の回路を相互に垂直状態を呈する二つの回路板に設け、この設計により異なる電気特性の伝送信号の発生する信号干渉を減らしている。しかし、この構造には改良すべき点があると思われる。
【０００３】
【特許文献１】台湾実用新案公告第４６１６２５号明細書
【特許文献２】台湾実用新案出願第９１２０５７２２号明細書
【考案の開示】
【考案が解決しようとする課題】
【０００４】
本考案は周知の電気コネクタに極めて形成されやすい電気性質不良及び相互干渉の欠点を鑑み、それを改善するために提供される。
【０００５】
本考案の主要な目的は、端子シートの第１回路板と第２回路板をフレームを利用して固定ギャップを有するものとし、これにより電気コネクタが信号伝送時に発生する相互干渉を改善することにある。
【０００６】
本考案の次の目的は、入出力回路及びろ波器内の異なる電気特性回路を第１回路板と第２回路板に分離し、これにより電気コネクタに高電圧試験を行なう時、回路の過密により形成される短絡が電気性質不良の状況を発生するのを防止することにある。
【課題を解決するための手段】
【０００７】
請求項１の考案は、収容空間を具えた絶縁シート内に端子シートが設けられ、絶縁シートにあって収容空間より離れた一側に接続空間が設けられた電気コネクタにおいて、
該端子シートの表面に第１回路板が設けられ、該第１回路板の上方にフレームが位置決めされ、該フレームの表面に第２回路板が設けられ、且つ第１回路板と第２回路板が固定ギャップを介して平行状態を呈すものとされたことを特徴とする、電気コネクタとしている。
請求項２の考案は、請求項１記載の電気コネクタにおいて、フレームの後側に挿入シートが垂直に設けられ、且つ挿入シートにあり溝が設けられ、端子シートの後側にドブテール形の係止部が設けられ、端子シートの係止部と挿入シートのあり溝が位置決めを形成することを特徴とする、電気コネクタとしている。
【考案の効果】
【０００８】
本考案の長所は以下のとおりである。
１．第１回路板と第２回路板がフレームを利用してギャップを介して平行に設置され、これにより電気コネクタの信号伝送時に発生する相互干渉を減らすことができる。
２．本考案は入出力回路とろ波器内の異なる電気特性回路が第１回路板と第２回路板に分離して設けられ、コネクタに高電圧試験を行なう時、回路の過密による短絡の形成を防止することができ、並びに測定不良の状況の発生を防止できる。
総合すると、本考案の電気コネクタは確実にその機能と目的を達成し、実用性に優れた考案であり、実用新案登録の要件を具備している。
【考案を実施するための最良の形態】
【０００９】
図１、２、３は本考案の立体分解図、絶縁シートと端子シートの立体分解図及び絶縁シートと端子シートの立体外観図である。本考案は絶縁シート１及び端子シート２で組成されている。
【００１０】
該絶縁シート１の正面に接続空間１１が設けられ、接続空間１１の上方両側の角部に二つの挿入空間１２が離間設置され、且つ接続空間１１と挿入空間１２は絶縁シート１後方の収容空間１３に連通している。
【００１１】
該端子シート２の前方には複数の接続端子２１が設けられ、並びに端子シート２の表面に複数の位置決め柱２２が凸設され、複数のアダプタ端子２３が通され、且つ位置決め柱２２が第１回路板３の表面に貫通設置された貫通孔３１に通され、端子シート２の表面のアダプタ端子２３が第１回路板３の表面の貫通孔３２を通りさらたに半田付けにより位置決めされ、且つ第１回路板３に複数の電子装置３３が設けられ、並びに上述の端子シート２の後端よりドブテール形の係止部２４が設けられ、且つ係止部２４の表面に弾性フック２４１が上向きに凸設されている。さらに、第１回路板３の上方にフレーム４が位置決めされ、フレーム４の後側に垂直に挿入シート４１が設けられ、且つ挿入シート４１にあり溝４１１が設けられ、並びにあり溝４１１の内側に係止部４１１１が設けられ、フレーム４の挿入シート４１に設けられたあり溝４１１が端子シート２の係止部２４の嵌入に供され、並びに端子シート２の係止部２４の表面に凸設された弾性フック２４１があり溝４１１内に凸設された係止部４１１１を係止すると共に弾性変形し、且つ弾性回復力を保有し、弾性フック２４１の弾性回復力により弾性フック２４１があり溝４１１の係止部４１１１上で位置決めされ、これによりフレーム４の底縁が第１回路板３の表面に保持され、並びに電子装置３３がフレーム４内に被覆される。また、上述のフレーム４の表面に複数の位置決め柱４２が凸設され、且つ位置決め柱４２は第２回路板５の表面に設けられた貫通孔５１を通り位置決めされ、並びにフレーム４の挿入シート４１に通されたアダプタ端子２３が第２回路板５表面の穿孔５２を通った後に半田付けで位置決めされる。さらに、上述の第２回路板５の二側前端に発光装置６が半田付けされる。
【００１２】
図４、５は本考案の組合せ前の側面断面図及び組合せ後の側面断面図である。上述の端子シート２の組立完成後に絶縁シート１と組み合わせる時には、端子シート２を絶縁シート１の収容空間１３中に挿入すると、端子シート２の複数の接続端子２１が絶縁シート１の接続空間１１内に収容され、第２回路板５の二側前端に半田付けされた発光装置６が絶縁シート１の挿入空間１２内に挿入され、これにより発光装置６の発射する可視光が絶縁シート１の前方に伝わるものとされ、こうして本考案の組立動作が完成する。
【００１３】
しかし以上は本考案の好ましい実施例の説明に過ぎず、第１回路板上の電子装置はコンデンサとろ波モジュールを具えたものとされ得て、第２回路板前端の発光装置は発光ダイオード（ＬＥＤ）とされうる。以上に対する簡易な修飾及び同じ効果を有する構造変化はいずれも本考案の請求範囲に属する。
【図面の簡単な説明】
【００１４】
【図１】本考案の立体分解図である。
【図２】本考案の絶縁シートと端子シートの立体分解図である。
【図３】本考案の絶縁シートと端子シートの立体外観図である。
【図４】本考案の組合せ前の側面断面図である。
【図５】本考案の組合せ後の側面断面図である。
【図６】周知の技術の立体分解図である。
【図７】周知の技術の局部部品組合せ後の立体分解図である。
【図８】もう一つの周知の技術の立体分解図である。
【図９】もう一つの周知の技術の組合せ後の側面断面図である。
【符号の説明】
【００１５】
１  絶縁シート
１１  接続空間                          １３  収容空間
１２  挿入空間
２  端子シート
２１  接続端子                          ２４  係止部
２２  位置決め柱                        ２４１  弾性フック
２３  アダプタ端子
３  第１回路板
３１  貫通孔                            ３３  電子装置
３２  穿孔
４  フレーム
４１  挿入シート                        ４１１１  係止部
４１１  あり溝                          ４２  位置決め柱
５  第２回路板
５１  貫通孔                            ５２  穿孔
６  発光装置
Ａ  絶縁シート
Ａ１  支持アーム
Ｂ  接続シート
Ｂ１  端子
Ｃ  回路板
Ｃ１  ろ波モジュール                    Ｃ２  切欠き
Ｄ  挿入シート
Ｄ１  端子
Ｅ  金属シールドケース
【図１】
0003103961.tif 000003
【図２】
0003103961.tif 000004
【図３】
0003103961.tif 000005
【図４】
0003103961.tif 000006
【図５】
0003103961.tif 000007
【図６】
0003103961.tif 000008
【図７】
0003103961.tif 000009
【図８】
0003103961.tif 000010
【図９】
0003103961.tif 000011